(57)【要約】  【課題】  本発明は、腰密着型フラフープに関するものであり、より詳細には、使用者の腰まわりに合うようにフラフープの大きさ調節が可能であり、転動体が内周面に形成されたしわを転がる時に振動を発生させて、使用者をマッサージする効果を発揮する腰密着型フラフープを提供する。【解決手段】  本発明の腰密着型フラフープは、内部に転がりホール１２が形成されて、管内部透視が可能な材質であり、内外周面に順次配列された複数の突出円弧である複数のしわ１４が形成されたしわ管１０と；球形の形状であり、材質は鉄（Ｆｅ）であり、前記しわ管１０内部に引き入れられて、前記転がりホール１２に沿って転動可能な形状である転動体２０と；一端に前記しわ管１０の一端が着設されて、他端に前記しわ管１０の他端が着設されて、前記しわ管１０と内部が連通するように結合する長さ調節部３０を；含むことを特徴とする。前記のような本発明によれば、従来のフラフープの運動機能はそのままいかしながら使用者の身体サイズに合うように大きさ調節機能を向上させて、使用者の身に密着された状態で使用することができて、狭い空間や座った姿勢のような多様な姿勢で本発明を使用することができる効果がある。  【選択図】図３
2011524232.tif 000002
【特許請求の範囲】
【請求項１】
フラフープにおいて、
内部に転がりホール１２が形成されて、内外周面に複数のしわ１４が形成されたしわ管１０と；
前記しわ管１０内部に引き入れられて、前記転がりホール１２に沿って転動可能な形状である転動体２０と；
一端に前記しわ管１０の一端が着設されて、他端に前記しわ管１０の他端が着設されて前記しわ管１０と内部が連通するように結合する長さ調節部３０を；含むことを特徴とする腰密着型フラフープ。
【請求項２】
前記しわ管１０は、管内部の透視が可能な材質であり；
前記しわ１４は順次配列された複数の突出円弧であることを特徴とする請求項１に記載の腰密着型フラフープ。
【請求項３】
前記転動体２０は球形の形状であり、材質は鉄（Ｆｅ）であることを特徴とする請求項１に記載の腰密着型フラフープ。
【請求項４】
前記長さ調節部３０は、
弧形の半円筒３６状である上部ボディ３４と、前記上部ボディ３４に対応する弧形の半円筒５６状に形成されて、前記上部ボディ３４に組み立て結合される下部ボディ５４と、前記上下部ボディ３４、５４の前端部で前記上下部ボディ３４、５４とヒンジ結合する調整ボディ８０を具備するボディ部３２と；
前記上部ボディ３４に対応する弧形の半円筒１０４状である上部ボディ１０２と、該上部ボディ１０２に対応する弧形の半円筒１１４状に形成されて、前記上部ボディ１０２に組み立て結合される下部ボディ１１２を具備するアダプター１００と；
前記上部ボディ３４の上面に付着して、前記転動体の回転数を感知して外部に表示するコントロールボックス１２０を；含んで、
前記アダプター１００は、
前記上下部ボディ１０２、１１２前端内側面で前記しわ管１０の一側が結合して、外周面が前記ボディ部３２の内周面に沿ってスライディング自在に前記ボディ部３２に着設されることを特徴とする請求項１に記載の腰密着型フラフープ。
【請求項５】
前記ボディ部３２は、
前記上下部ボディ３４、５４の側面にそれぞれ形成される複数の差し込みホールおよび差し込み顎と；
前記上下部ボディ３４、５４が前記複数の差し込みホール３８および差し込み顎５８のうち第１差し込みホール３８ａおよび第１差し込み顎５８ａ前方で垂直に切開され、前記上下部ボディ３４、５４の前端に向けて水平に切開されて形成された水平切開面４４、６４にそれぞれ位置する上部ヒンジ溝４０および下部ヒンジ溝６０と；
前記上下部ボディ３４、５４内側面に見合わせるように形成されて前記アダプター１００がスライディング自在に密着されるガイドレール４６、６６と；
前記ガイドレール４６、６６の間に順次配列され、前記転動体２０の転がり時に振動を発生させる複数の振動突起４８、６８と；
前記上下部ボディ３４、５４の後端内側面に前記しわ管１０の外周形状に対応して形成される複数の接続突起５０、７０と；
前記上下部ボディ３４、５４の前記後端内側面に沿って形成されて、一端は前記接続突起５０、７０の前方で係止顎５３、７３を形成して、前記係止顎５３、７３の自由端に形成される内径は前記しわ管１０の内径と一致して、末端が前記ガイドレール４６、６６の後端最後まで下方延長される傾斜部５２、７２を；含むことを特徴とする請求項４に記載の腰密着型フラフープ。
【請求項６】
前記調整ボディ８０は、
前記水平切開面４４、６４に接する側面と、前記上下部ボディ３４、５４の前記前端部で前記上下部ボディ３４、５４と一体で円筒状を構成するために横断方向に形成される弧形状と、前端内側面に沿って形成されて自由端が前記しわ管１０の外径に対応する複数のかけ具８４を具備するかけ具板８２と；
前記かけ具板８２と同じ幅と、前記かけ具板８２の後端に一体で付着される一端と、前記かけ具板８２の弧形状に対応して横断方向に形成される弧形状と、他端の内側面に沿って左右側面まで延長され、前記側面で前記上下部ヒンジ溝４０、６０に挟み組立されるヒンジ突起９０ａ、９０ｂを具備する突起部８８と、縦断方向に内側面がふくらんでいる弧形状を具備する連結板８６と；
前記連結板８６と同じ幅と、前記連結板８６の弧形状に対応して横断方向に形成される弧形状と、前記連結板８６の他端に一体で付着される一端と、縦断方向に内側面が凹な弧形状と、中央部には形成される支持台ホール９４を具備する押し板９２と；
一端は前記支持台ホール９４前端に付着する水平台９６ａと、一端が前記水平台９６ａの他端に付着して他端が前記支持台ホール９４の他端下方の前記上下部ボディ３４、５４の外周面に位置する傾斜台９６ｂと、前記傾斜台９６ｂの他端に前記外周面でスライディング自在な弧形の板に形成される置き台９６ｃで構成される支持台９６を；具備することを特徴とする請求項４に記載の腰密着型フラフープ。
【請求項７】
前記調整ボディ８０は弾性材質であることを特徴とする請求項６に記載の腰密着型フラフープ。
【請求項８】
前記アダプター１００は、
前記上下部ボディ１０２、１１２の側面にそれぞれ形成される複数の差し込みホールおよび差し込み顎と；
前記上下部ボディ１０２、１１２の後端内側面に前記しわ管１０の外周形状に対応して形成される複数の接続突起１０６、１１６と；
前記上下部ボディ１０２、１１２の前記後端内側面に沿って形成されて、一端は前記接続突起１０６、１１６の後方で係止顎を形成して、前記係止顎の自由端に形成される内径は、前記しわ管の内径と一致して、末端が前記上下部ボディ１０２、１１２の前記内側後端の最後まで下方延長される傾斜部１０８、１１８を；含むことを特徴とする請求項４に記載の腰密着型フラフープ。
【請求項９】
前記上部ボディ３４はカウンターホールをさらに具備して、
前記コントロールボックス１２０は、
前記カウンターホールを通じて前記上部ボディの内部と連結されて前記転動体の転がり数を感知するカウンター１２２と；
前記カウンター１２２と電気的に連結されて前記転がり数を外部に表示するディスプレイ部１２６と；
前記ディスプレイ部と電気的に連結されて電源制御および各種信号入力のための操作ボタンを；含むことを特徴とする請求項４に記載の腰密着型フラフープ。
【発明の詳細な説明】
【技術分野】
【０００１】
本発明は、腰密着型フラフープに関するものであり、より詳細には、使用者の腰まわりに合うようにフラフープの大きさ調節が可能で、転動体が内周面に形成されたしわを転がる時に振動を発生させて使用者を、マッサージ効果を発揮する腰密着型フラフープに関するものである。
【背景技術】
【０００２】
通常、フラフープとは円形環内に使用者が入り、使用者の腰まわりがその内径のある部分に着いた状態で腰を振っても地に落ちず、ずっと回るようにする遊びまたは運動を指す言葉である。フラフープは反復的に腰まわりにフラフープが触れるようにして、腰まわりの脂肪を燃焼する目的でしばしば使用される。従来のフラフープは外周面が滑らかに形成され使用者がこれを利用して運動する場合、単純に接触するために十分な運動効果を期待することができなかった。また、これを解決するためにフラフープの外側面に複数の指圧突起を形成したフラフープもよく使われている。この場合、フラフープの指圧突起が使用者の肌を圧迫する指圧効果をおさめることができた。しかし、フラフープの外側面を別に加工して逐一指圧突起をフラフープの外側面に具備しなければならない問題点があった。
従来のフラフープは腰からフラフープがしばしば落ちることで使用者の興味がなくなり素人が従来のフラフープを使って上逹されるまでは相当な時間がかかるという問題があった。また、フラフープが大きく一定空間が確保されない状況では使用することができないという問題もあった。
ひいては、腰を使ってフラフープを回すことを繰り返すので、使用者の興味がすぐに失われることがあり、使用者がある程度運動をしたのかチェックすることができないという問題があった。
【発明の概要】
【発明が解決しようとする課題】
【０００３】
本発明は、前記の案出された問題点を解消しようと案出されたものであり、使用者の身体サイズに合うように大きさ調節が自由でフラフープの素人でも使いやすく、空間の制約を受けない腰密着型フラフープを提供することに目的がある。
また、本発明のフラフープ内部に挿入された転動体の振動によって使用者がマッサージ効果を得ることができ、使用者が運動量を直接測定することができる腰密着型フラフープを提供することに目的がある。
【課題を解決するための手段】
【０００４】
前記のような目的を達成するための本発明の腰密着型フラフープは内部に転がりホール１２が形成されて、管内部透視が可能な材質であり、内外周面に順次配列された複数の突出円弧である複数のしわ１４が形成されたしわ管１０と；球形の形状であり、材質は鉄（Ｆｅ）であり、前記しわ管１０内部に引き入れられ、前記転がりホール１２に沿って転動可能な形状である転動体２０と；一端に前記しわ管１０の一端が着設され、他端に前記しわ管１０の他端が着設され、前記しわ管１０と内部が連通するように結合する長さ調節部３０を；含むことを特徴とする。
前記長さ調節部３０は、弧形の半円筒３６状である上部ボディ３４と、該上部ボディ３４に対応する弧形の半円筒５６状に形成されて、前記上部ボディ３４に組み立て結合される下部ボディ５４と、前記上下部ボディ３４、５４の前端部で前記上下部ボディ３４、５４とヒンジ結合する調整ボディ８０を具備するボディ部３２と；前記上部ボディ３４に対応する弧形の半円筒１０４状である上部ボディ１０２と、該上部ボディ１０２に対応する弧形の半円筒１１４状に形成されて前記上部ボディ１０２に組み立て結合される下部ボディ１１２を具備して、前記上下部ボディ１０２、１１２前端内側面で前記しわ管１０の一側が結合して、外周面が前記ボディ部３２の内周面に沿ってスライディング自在に前記ボディ部３２に着設されるアダプター１００と；前記上部ボディ３４の上面に付着して、前記転動体の回転数を感知して、外部に表示するコントロールボックス１２０を；含むことを特徴とする。
前記ボディ部３２は、前記半円筒３６、５６の側面にそれぞれ形成される複数の差し込みホールおよび差し込み顎と；前記半円筒３６、５６が前記複数の差し込みホール３８および差し込み顎５８のうち第１差し込みホール３８ａおよび第１差し込み顎５８ａ前方で垂直に切開されて前記半円筒３６、５６の前端に向けて水平に切開されて形成された水平切開面４４、６４にそれぞれ位置する上部ヒンジ溝４０および下部ヒンジ溝６０と；前記半円筒３６、５６内側面に見合わせるように形成されて前記アダプター１００がスライディング自在に密着されるガイドレール４６、６６と；前記ガイドレール４６、６６の間に順次配列されて前記転動体２０の転がり時に振動を発生させる複数の振動突起４８、６８と；前記半円筒３６、５６の後端内側面に前記しわ管１０の外周形状に対応して形成される複数の接続突起５０、７０と；前記半円筒３６、５６の前記後端内側面に沿って形成されて、一端は前記接続突起５０、７０の前方で係止顎５３、７３を形成して、前記係止顎５３、７３の自由端に形成される内径は前記しわ管１０の内径と一致して、末端は前記ガイドレール４６、６６の後端最後まで下方延長される傾斜部５２、７２を；含むことを特徴とする。
前記調整ボディ８０は弾性材質であり、前記垂直切開面４２、６２に接する側面と、前記上下部ボディ３４、５４の前記前端部で前記上下部ボディ３４、５４と一体で円筒状を構成するために横断方向に形成される弧形状と、前端内側面に沿って形成されて自由端が前記しわ管１０の外径に対応する複数のかけ具８４を具備するかけ具板８２と；前記かけ具板８２と同じ幅と、前記かけ具板８２の後端に一体で付着される一端と、前記かけ具板８２の弧形状に対応して横断方向に形成される弧形状と、他端内側面に沿って左右側面まで延長されて前記側面で前記上下部ヒンジ溝４０、６０に挟み組立されるヒンジ突起９０ａ、９０ｂを具備する突起部８８と、縦断方向に内側面がふくらんでいる弧形状を具備する連結板８６と；前記連結板８６と同じ幅と、前記連結板８６の弧形状に対応して横断方向に形成される弧形状と、前記連結板８６の他端に一体で付着される一端と、縦断方向に内側面が凹な弧形状と、中央部には形成される支持台ホール９４を具備する押し板９２と；一端は前記支持台ホール９４の前端に付着される水平台９６ａと、一端が前記水平台９６ａの他端に付着されて、他端が前記支持台ホール９４の他端下方の前記上下部ボディ３４、５４の外周面に位置する傾斜台９６ｂと、該傾斜台９６ｂの他端に前記外周面でスライディング自在な弧形の板で形成される置き台９６ｃで構成される支持台９６を；具備することを特徴とする。
前記アダプター１００は、前記半円筒１０４、１１４の側面にそれぞれ形成される複数の差し込みホールおよび差し込み顎と；前記半円筒１０４、１１４の後端内側面に前記しわ管１０の外周形状に対応して形成される複数の接続突起１０６、１１６と；前記半円筒１０４、１１４の前記後端内側面に沿って形成されて、一端は前記接続突起１０６、１１６の後方で係止顎を形成して、前記係止顎の自由端に形成される内径は前記しわ管の内径と一致して、末端は前記半円筒１０４、１１４の前記内側後端最後まで下方延長される傾斜部１０８、１１８を；含むことを特徴とする。
前記コントロールボックスは、前記上部ボディ３４にさらに具備されたカウンターホールを通じて前記上部ボディの内部と連結されて前記転動体の転がり数を感知するカウンター１２２と；前記カウンター１２２と電気的に連結されて前記転がり数を外部に表示するディスプレイ部１２６と；前記ディスプレイ部と電気的に連結されて、電源制御および各種信号入力のための操作ボタン；を含むことを特徴とする。
【発明の効果】
【０００５】
本発明によると、従来のフラフープの運動機能をそのまま活かしつつ使用者の身体サイズに合うように大きさ調節機能を向上させて、使用者の体に密着された状態で使用することができ、狭い空間や座った姿勢のような多様な姿勢で本発明を使用することができる効果がある。
また、従来フラフープの環をしわ管に取り替えて転がりホールを形成して内蔵された転動体を転がすようにするために腰に密着された状態で両太ももと腰を利用して本発明を使用するので、腹部と腰部位の脂肪分解効果および腰筋肉強化効果がある。
また、しわ管内部にしわが形成された転がりホールを転動体が転がる間、使用者の腰に相当な量の振動が伝達されて使用者が腹部と腰を、マッサージをする効果がある。
ひいては、転動体が回転した数を測定することができて、使用者が運動量を直接チェックすることができて、使用者の興味と自分の力量に合うように本発明を使用することができる効果がある。
【図面の簡単な説明】
【０００６】
【図１】本発明の一実施例による腰密着型フラフープの側面図である。
【図２】本発明の一実施例による腰密着型フラフープの平面図である。
【図３】本発明の一実施例による腰密着型フラフープの図１に示されたＡＡ線断面図である。
【図４】本発明の一実施例による腰密着型フラフープの長さ調節部の斜視図である。
【図５】本発明の一実施例による腰密着型フラフープの長さ調節部の分解図である。
【図６】本発明の一実施例による腰密着型フラフープの上部ボディの平面図である。
【図７】本発明の一実施例による腰密着型フラフープの下部ボディの平面図である。
【図８】本発明の一実施例による腰密着型フラフープの長さ調節部側面図である。
【図９】同じく、本発明の一実施例による腰密着型フラフープの長さ調節部側面図である。
【図１０】本発明の一実施例による腰密着型フラフープの調整ボディを示す斜視図である。
【図１１】本発明の一実施例による腰密着型フラフープの調整ボディを示す上部平面図である。
【図１２】本発明の一実施例による腰密着型フラフープの調整ボディを示す側面図である。
【図１３】本発明の一実施例による腰密着型フラフープの調整ボディを示す図１１に示されたＡＡ線断面図である。
【図１４】本発明の一実施例による腰密着型フラフープのアダプターの斜視図である。
【図１５】本発明の一実施例による腰密着型フラフープのアダプターの上部ボディ平面図である。
【図１６】本発明の一実施例による腰密着型フラフープのアダプターの下部ボディ平面図である。
【図１７】本発明の一実施例による腰密着型フラフープの使用状態図である。
【図１８】同じく、本発明の一実施例による腰密着型フラフープの使用状態図である。
【図１９】同じく、本発明の一実施例による腰密着型フラフープの使用状態図である。
【発明を実施するための形態】
【０００７】
以下、本発明が属する技術分野で通常の知識を有した者が本発明を容易に実施することができる程度に本発明の望ましい実施例を添付された図面を参照して説明すれば次のようである。
【０００８】
図１および図２は、本発明の一実施例による腰密着型フラフープの側面図および平面図であり、図３は本発明の一実施例による腰密着型フラフープの図１に示されたＡＡ線断面図である。図１ないし図３を参照すれば、腰密着型フラフープ１はしわ管１０、転動体２０および長さ調節部３０で構成される。
しわ管１０は内部透視が可能な材質であり、内部に連通される転がりホール１２が形成される。しわ管１０の内外周面には順次配列された複数のしわ１４が形成される。それぞれのしわ１４は順次配列された複数の突出円弧の形状に形成される。ひいては螺旋形で連結された突出円弧の形状を含むことは当然である。しわ管の材質はウレタンや生ゴム、合成樹脂など、伸縮可能な材質で構成されることができる。また、それぞれのしわ１４の間隔を調節することで転動体がしわ管内部を転がる時に発生する振動量を調節することができる。
【０００９】
転動体２０は、しわ管１０内部に引き入れられて、転がりホール１２に沿って転動可能な球形の形状である。転動体２０の材質は鉄（Ｆｅ）にすることが望ましい。鉄の重量によって転動体２０が転がりホール１２を転がる場合強い振動を発生することができるためである。以外に転動体の材質を嵩に比べて重さが多い材質にして使用者が重量感を感じることができる多様な材質で構成されることができることは勿論である。
【００１０】
図４は、本発明の一実施例による腰密着型フラフープの長さ調節部の斜視図であり、図５は本発明の一実施例による腰密着型フラフープの長さ調節部の分解図であり、図６および図７は、本発明の一実施例による腰密着型フラフープの上部ボディおよび下部ボディ平面図である。図４ないし図７を参照すれば、長さ調節部３０はボディ部３２とアダプター１００で構成される。長さ調節部３０の一端にしわ管１０の一側が着設され長さ調節部３０の他端にしわ管１０の他側が着設され、しわ管１０と内部が連通するように結合する。
【００１１】
ボディ部３２は上部ボディ３４、下部ボディ５４および調整ボディ８０で構成される。上部ボディ３４は弧形の半円筒３６状に形成されて、下部ボディ５４は上部ボディ３４に対応する弧形の半円筒５６状に形成されて上部ボディ３４に脱着することができるように組み立て結合される。上下部ボディの着脱が可能にしたのはフラフープが組み立てと解体を容易にするためである。
【００１２】
複数の差し込みホール３８ａ、３８ｂ、３８ｃ、３８ｄが半円筒３６の下端側面に形成されて、上部ボディと下部ボディとの組み立て結合時に後述する下部ボディ５４のそれぞれの差し込み顎５８ａ、５８ｂ、５８ｃ、５８ｄが対応する差し込みホール３８ａ、３８ｂ、３８ｃ、３８ｄにかかるようになる。
複数の差し込み顎５８ａ、５８ｂ、５８ｃ、５８ｄが下部ボディ５４の上端側面に複数の差し込みホール３８ａ、３８ｂ、３８ｃ、３８ｄに対応する位置に形成され、顎の方向は下部ボディ５４の外周面に向く。よって、複数差し込み顎５８ａ、５８ｂ、５８ｃ、５８ｄは下部ボディ５４が上部ボディ３４に組立される時、上部ボディ３４の内側面で凹入された後、差し込みホール３８ａ、３８ｂ、３８ｃ、３８ｄにかかる。
上部ボディ３４と下部ボディ５４はそれぞれ第１差し込みホール３８ａおよび第１差し込み顎５８ａ前方で垂直に切開され前記半円筒の前端に向けて水平に切開されて形成された水平切開面４４、６４に突出部位４５、６５が形成され、上部ヒンジ溝４０と下部ヒンジ溝６０がそれぞれ対応する突出部位４５、６５に形成される。それぞれのヒンジ溝４０、６０には調整ボディ８０のヒンジ突起９０ａ、９０ｂが凹入される。
２個で対をなすガイドレール４６、６６がボディ３４、５４内側面に見合わせるように形成され、後述するアダプター１００が密着されてスライディングされることができる。これはアダプター１００の外径がボディ部の内径に比べて小さく、アダプター１００がボディ部で容易に脱着することを防止することができる。
複数の振動突起４８、６８がガイドレール４６、６６の間に順次配列されて転動体２０の転がり時に振動を発生させる。振動突起４８、６８の高さはガイドレール４６、６６の高さと同じか、または低くして振動突起４８、６８がアダプター１００の移動を妨げないことが望ましい。
複数の接続突起５０、７０がボディ３４、５４の後端内側面に形成される。それぞれの接続突起５０、７０の間隔はしわ管１０の外周形状に対応してしわ１４が挟まれることができる間隔を維持することが望ましい。また、接続突起５０、７０の高さはしわ管１０のしわ谷の深さに対応して形成される。
傾斜部５２、７２がボディ３４、５４の後端内側面に形成される。傾斜部５２、７２の一端は接続突起５０、７０の前方で係止顎５３、７３を形成するが、半円筒３６、５６の内側面に沿って形成された係止顎５３、７３に形成される内径は後述するように接続突起５０、７０に組立されたしわ管１０の内径と一致することが望ましい。そして、傾斜部５２、７２は係止顎５３、７３の末端でガイドレール４６、６６の後端最後まで下方延長される。傾斜部５２、７２は転動体２０がしわ管１０から長さ調節部３０にまたは長さ調節部からしわ管に転がる場合転動体がしわ管の内径と長さ調節部の内径差によって転動体が瞬間落下するか、またはかかるようになることを防止する。
図８および図９に示されたように、下部ボディ５４の差し込み顎５８ａ、５８ｂ、５８ｃ、５８ｄが上部ボディ３４の差し込みホール３８ａ、３８ｂ、３８ｃ、３８ｄに着設されながら一体に組立される時に調整ボディ８０はボディ３４、５４の前端部でボディ３４、５４とヒンジ結合する。調整ボディ８０はボディ３４、５４の突出部４５、６５に挟み組立されるヒンジ突起９０ａ、９０ｂを回動軸にして回動する。
図１０は、本発明の一実施例による腰密着型フラフープの調整ボディを示す斜視図であり、図１１は本発明の一実施例による腰密着型フラフープの調整ボディを示す上部平面図であり、図１２は本発明の一実施例による腰密着型フラフープの調整ボディを示す側面図であり、図１３は本発明の一実施例による腰密着型フラフープの調整ボディを示す図１１に示されたＡＡ線断面図である。図１０ないし図１３を参照すれば、調整ボディ８０はかけ具板８２、連結板８６、押し板９２および支持台９６で構成される。調整ボディは押し板９２を外力によって直下方向に力を加えると連結板８６に形成されるヒンジ突起９０ａ、９０ｂを回動軸にして回動し、かけ具板８２の前端が上方に持ち上げられ、かけ具板８２に形成されるかけ具８４がしわ管１０で脱着される。押し板９２に加えられる外力をとり除けば支持台９６の弾力によって調整ボディ８０が前記回動と反対方向に回動してかけ具がしわ管に着設される。
調整ボディ８０の構成をより詳しく説明すれば、かけ具板８２の側面はボディ３４、５４の垂直切開面４２、６２に接してボディ３４、５４と組立されるので、かけ具板８２を横断方向で弧形状を形成してボディ３４、５４の前端部でボディ３４、５４と１つの円筒をなすことができるようにする。
複数のかけ具８４がかけ具板８２の内側面に沿ってかけ具板８２の前端に形成される。かけ具８４の自由端はしわ管１０の外径に対応して弧形に形成されることが望ましい。
連結板８６はかけ具板８２と同じ幅にして、かけ具板８２の弧形状に対応して横断方向で弧形状を形成して、一端がかけ具板８２に一体で付着される。連結板８６は縦断方向に内側面を向けてふくらんでいる弧形状をなすことができるが、これは調整ボディの回動時にかけ具８４が持ち上げられる角度を大きくするためである。
連結板８６の他端の内側面に沿って突起部８８が形成されて、突起部８８は連結板８６の左右側面まで延長され側面でヒンジ突起９０ａ、９０ｂを形成する。ヒンジ突起９０ａ、９０ｂは上下部ヒンジ溝４０、６０に挟み組立される。
押し板９２は連結板８６と同じ幅にして、連結板８６の弧形状に対応して横断方向で弧形状を形成して一端が連結板８６に一体で付着される。押し板９２は縦断方向で内側面を向けて凹な弧形状をなすことができるが、これは押し板９２に外力が加えられる場合支持力を大きくして、使用者が本発明を着用して使用する場合、外部物体または使用者の衣服に押し板９２がかかるようになる短所を補うためである。
押し板９２の中央部には支持台ホール９４が形成されて、支持台９６が支持台ホールの前端９４ａで下方に一体付着される。すなわち、支持台９６は支持台ホールの前端９４ａに水平台９６ａの一端が付着されて、水平台９６ａの他端にボディ３４、５４の外周面に向けて傾くように傾斜台９６ｂの一端が付着されて、傾斜台９６ｂの他端が前記外周面に接する位置で、前記外周面でスライディング自在な弧形の板に形成される置き台９６ｃの一端が付着される。
前記のような構成の調整ボディ８０は、弾性材質にして押し板９２での回動と支持台９６による弾性復元力を充分に発揮されるようにすることが望ましい。
アダプター１００が前記のように構成されたボディ部３２に図３に示されたように密着されて挿入される。アダプター１００は相互脱付着が可能な上部ボディ１０２と下部ボディ１１２で構成されて図１４のようにボディ１０２、１１２が一体組立された状態になる。
図１５および図１６に示されたように、上部ボディ１０２がボディ部３２の上部ボディ３４に対応する弧形の半円筒１０４状であり、下部ボディ１１２は上部ボディ１０２に対応する弧形の半円筒１１４状に形成される。
アダプターの組み立て結合方法は、複数の差し込みホール１０５ａ、１０５ｂ、１０５ｃ、１０５ｄが上部ボディ１０２の下端側面に形成されて、上部ボディ１０２と下部ボディ１１２の組み立て結合時に下部ボディ１１２の上端側面に形成される差し込み顎１１５ａ、１１５ｂ、１１５ｃ、１１５ｄそれぞれが対応されるようにして差し込みホール１０５ａ、１０５ｂ、１０５ｃ、１０５ｄにかかるようにする。この時、差し込み顎に形成される顎の方向は下部ボディ１１２の外周面に向けるようにして複数の差し込み顎は、下部ボディ１１２が上部ボディ１０２に組立される時に上部ボディ１０２の内側面で凹入された後に差し込みホールにかかる。
複数の接続突起１０６、１１６がボディ１０２、１１２の前端内側面に形成される。それぞれの接続突起１０６、１１６の間隔はしわ管１０の外周形状に対応してしわ１４が挟まれることができる間隔を維持することが望ましい。また、接続突起１０６、１１６の高さはしわ管１０のしわ谷の深さに対応して形成される。
傾斜部１０８、１１８がボディ１０２、１１２の内側面に形成される。傾斜部１０８、１１８の一端は接続突起１０６、１１６の後方で係止顎１０８ａ、１１８ａを形成するが、ボディ１０２、１１２の内側面に沿って形成された係止顎１０８ａ、１１８ａでなされる内径は接続突起１０６、１１６に組立されたしわ管１０の内径と一致することが望ましい。そして、傾斜部１０８、１１８は係止顎１０８ａ、１１８ａの自由端で半円筒１０４、１１４の内側後端最後まで下方延長される。傾斜部１０８、１１８は転動体２０がしわ管１０からアダプター１００にまたはアダプター１００からしわ管１０に転がる場合転動体２０がしわ管１０の内径とアダプター１００の内径差によって転動体２０が瞬間落下するか、またはかかるようになることを防止する。
図４および図５に示されたようにコントロールボックス１２０が上部ボディ３４の上面に付着されて、カウンター１２２、ディスプレイ部１２６および操作ボタン１２４で構成されて転動体の回転数をチェックする。
上部ボディ３４はカウンターホール３７を具備することができるし、カウンター１２２がカウンターホールに組立されながら上部ボディ３４と結合する。カウンターは転動体の回転数をチェックする機能を遂行する。転動体の回転数がチェックされれば、ディスプレイ部１２６がこれを外部に表示する。コントロールボックスにはディスプレイ部ホール１２８が形成されて、ディスプレイ部の表示部がディスプレイ部ホールを通じて外部に情報を伝達するようになる。これによって、使用者は自分の運動回数を直接測定しなくても、自分の運動回数を簡便に測定することができる。ディスプレイ部には電源制御および各種信号入力のための操作ボタン１２４が具備されることができる。本発明に適用されるカウンターとデ−スプルレイブは従来の運動器具およびその他多様な製品に適用されるカウンターとディスプレイと同一な構造で構成されることができて、これに対する詳細な説明は省略することにする。
以下、本発明の一実施例による腰密着型フラフープの組み立てと作動に対して説明する。
先ず、しわ管１０の転がりホール１２内部に転動体２０を挿入する。次に、アダプター１００の上下部ボディ１０２、１１２が脱着された状態でしわ管の一側末端を係止顎１０８ａ、１１８ａまで安着した後にしわ管の一側を上部接続突起１０６および下部接続突起１１６に挟み結合しながら差し込み顎１１５ａ、１１５ｂ、１１５ｃ、１１５ｄが差し込みホール１０５ａ、１０５ｂ、１０５ｃ、１０５ｄにかかるようにして、しわ管の一側と下部ボディ１１２および上部ボディ１０２を一体で組立てる。
しわ管の他側をボディ部３２の上下部ボディ３４、５４が脱着された状態でしわ管の他側末端がボディ部の係止顎５３、７３まで安着した後にしわ管の他側を上部接続突起５０および下部接続突起７０に挟み結合しながら差し込み顎５８ａ、５８ｂ、５８ｃ、５８ｄが差し込みホール３８ａ、３８ｂ、３８ｃ、３８ｄにかかるようにして、しわ管の他側と下部ボディ５４および上部ボディ３４を一体で組立てる。この時、調整ボディはボディ３４、５４とヒンジ結合する。
アダプター１００をボディ部３２の前端部で挿入してかけ具８４がしわ管１０を結束することができる位置まで移動する。この場合、アダプターの内部挿入を容易にするために調整ボディ８０の押し板９２に外力を加えてかけ具８４がアダプターおよびしわ管１０の移動に邪魔にならないようにする。最後に、押し板に加えられた外力をとり除けば、かけ具がしわ管の外周面に安着してしわ管が長さ調節部３０で脱着されることが防止されて、図２に示されたようなフラフープが完成される。
前記のように組立された腰密着型フラフープは、使用者の腰に密着して、しわ管１０内部に挿入された転動体２０を腰の反動で転動させる。転動体２０は、しわ管と長さ調節部が連通する腰密着型フラフープ１内部の全通路に沿って腰の運動方向と同じ方向で連続して回ることができるようになる。図１７ないし図１９を参照すれば、使用者によって他の腰サイズに順応するために図１７に示されたように調整ボディ８０の押し板９２を第（１）の方向で押せば、図１８に示されたようにかけ具８４が第（２）方向に回動してしわ管１０で脱着される。この時、外力によってしわ管を第（３）の方向に引きながら本発明であるフラフープの大きさを所望の程度にふやすことができる。所定の長さ程度にしわ管を移動させた後押し板に加えられた外力をとり除けば、かけ具が図１９に示されたようにかけ具が第（４）方向に回動しながらしわ管に着設される。前記のような調整と反対に作動すればフラフープの大きさを減らすことができる。
転動体２０がしわ管１０を転がる場合振動を発生させて使用者の腰を、マッサージをする効果を発揮するが、転動体２０が長さ調節部３０の内部を転がる場合は振動突起４８、６８がしわ管のしわの役割をする。また、両足を利用した腰の反動で転動体２０を転がすので運動効果が大きい。
本発明は、以上で説明したように望ましい実施例を挙げて図示して説明したが、前記実施例に限定されなくて、添付された特許請求範囲によって解釈されなければならないであろう。また、当該発明が属した技術分野で通常の知識を有した者によって本発明の技術思想と添付された特許請求範囲の均等範囲内で多様な修正および変形が可能であることは勿論である。
【符号の説明】
【００１３】
１  腰密着型フラフープ
１０  しわ管
１２  転がりホール
１４しわ
２０  転動体
３０  長さ調節部
【図１】
2011524232.tif 000003
【図２】
2011524232.tif 000004
【図３】
2011524232.tif 000005
【図４】
2011524232.tif 000006
【図５】
2011524232.tif 000007
【図６】
2011524232.tif 000008
【図７】
2011524232.tif 000009
【図８】
2011524232.tif 000010
【図９】
2011524232.tif 000011
【図１０】
2011524232.tif 000012
【図１１】
2011524232.tif 000013
【図１２】
2011524232.tif 000014
【図１３】
2011524232.tif 000015
【図１４】
2011524232.tif 000016
【図１５】
2011524232.tif 000017
【図１６】
2011524232.tif 000018
【図１７】
2011524232.tif 000019
【図１８】
2011524232.tif 000020
【図１９】
2011524232.tif 000021
【国際調査報告】
2011524232.tif 000022
2011524232.tif 000023
2011524232.tif 000024
2011524232.tif 000025